(57)【要約】      （修正有）【課題】第１の部材と第２の部材を手動で開閉でき、押釦により、自動的に使用或は操作可能な角度まで、開くことができる電子機器用ヒンジと電子機器を提供する。【解決手段】回り止め手段を有し第１の部材１か第２の部材３に挿入係止されるケース体６、ケース体に係止されたシャフト５、シャフトに固定／軸方向へ摺動可能のスライドキー８、回り止めされて第１の部材か第２の部材に係止されスライドキーを摺動可能に内装しつつシャフトに回転固定されたアウターカム１０、回転角度によって係脱を行うインナーカム１２、スライダーカム１５とケース体間の第１コンプレッションスプリング１４、第１スプリングよりも弱い第２コンプレッションスプリング１７、及びスライドキーに取り付けられた押釦１３とを有する。【選択図】          図２
2004150498.tif 000002
【特許請求の範囲】
【請求項１】
第１の部材と第２の部材を互いに開閉可能に連結するヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられた一端部に係止部を有するスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられたアウターカムと、その中心部軸方向へ前記シャフトと共に前記スライドキーの先端部を挿通させるアウターカム内に軸方向へ摺動可能に収装され前記スライドキーの係止部と回転角度によって係合解離を行う係合凸部を有するインナーカムと、このインナーカム及び前記アウターカムと対向しその中心部軸方向へ前記シャフトを貫通させつつ前記ケース体内に回転を拘束されつつ軸方向へ摺動可能に取り付けられたスライダーカムと、このスライダーカムと前記ケース体との間に弾設された第１コンプレッションスプリングと、前記スライドキーと前記アウターカムとの間に弾設された前記第１コンプレッションスプリングよりも弱い弾力を持つ第２コンプレッションスプリングと、前記スライドキーに取り付けられた押釦とを有し、通常時は前記スライダーカムのカム部の凸部で前記スライドキーによって回転を阻止されている前記インナーカムの係止凸部と係合させているが、前記押釦に対し押圧操作を行うことにより、前記スライドキーの係止部と前記インナーカムの係合凸部との係合状態を解離して前記スライダーカムを前記ケース体と共に回転させるように構成したことを特徴とする、電子機器用ヒンジ。
【請求項２】
前記インナーカムは、前記インナーカムの係止部とその回転を阻止するために係合する変形挿通孔と、前記インナーカムの係止部の回転を許容する円形挿通孔と、この円形挿通孔内の係止部の軸方向の移動をその回転角度によって阻止するために設けられた段部とを有することを特徴とする、請求項１に記載の電子機器用ヒンジ。
【請求項３】
前記スライドキーを前記シャフトに対し回転を拘束された状態で軸方向への摺動を許容する手段が、該スライドキーを半径方向に貫通して軸方向に設けられた長孔と、この長孔と係合する前記シャフトに取り付けられたピンであり、同時に前記アウターカムを前記シャフトへ固定する手段が、前記ピンであることを特徴とする、請求項１乃至２のいずれかに記載の電子機器用ヒンジ。
【請求項４】
互いに開閉可能に連結される第１の部材と第２の部材の連結部に、請求項１乃至３のいずれかに記載の電子機器用ヒンジを用いたことを特徴とする、電子機器。
【発明の詳細な説明】
【０００１】
【発明の属する技術分野】
この発明は、とくに携帯電話機や、ポケットコンピュータのように２つ折りに連結した第１の部材であるキーボード部と第２の部材であるディスプレー装置を持つ電子機器に用いて好適な電子機器用ヒンジ並びにこのヒンジを用いた電子機器に関する。
【０００２】
【従来の技術】
従来、第１の部材であるキーボード部付きの送話部と第２の部材であるディスプレー装置付きの受話部とを相対的に開閉可能となるように構成した二つ折りタイプの電子機器の一種である携帯電話機の電子機器用ヒンジとして、送話部と受話部を全閉状態においてロックでき、押釦を押すと、送話部と受話部が自動的に所定角度まで開かれるように構成した電子機器用ヒンジ、及びこの電子機器用ヒンジを用いた携帯電話機として、次のものが公知である。
【０００３】
特開平８−１２５７２５号公開特許公報
【０００４】
この公知構成の電子機器用ヒンジは、ヒンジシャフトを介して二つ折り自在となるように連結させた送話部の取付筒部と受話部の取付筒部との間に、前記ヒンジシャフトに還巻きさせつつトーションスプリングを弾設し、前記送話部の取付筒部と受話部の取付筒部の間に前記トーションスプリングの一端部を前記受話部の所定の開成角度以上の範囲においてのみ前記受話部の取付筒部によって係止する係止手段を設けると共に、前記送話部の取付筒部と受話部の取付筒部との間にカム機構を設け、このカム機構を前記送話部の取付筒部の軸方向に設けた押釦を押圧操作させることにより動作させて前記係止手段が前記トーションスプリングの一端部を係止する位置まで前記受話部を回転させるよう成し、前記受話部の取付筒部に前記押釦を押圧することによって前記送話部の取付筒部に対する該受話部の係止を解除するロック手段を設けると共に、前記受話部を所定開成角度からフリーストップに停止させるフリクション機構を設けたものであった。
【０００５】
上記係止手段は、受話部の取付筒部内に収装させたロータの端面に設けたトーションスプリングの一端部を係止する係止部と、この係止部の前記トーションスプリングの巻戻し方向に設けた傾斜部と、前記係止部による係止を外された前記トーションスプリングの端部を係止するために前記送話部の取付筒部にトーションスプリングの軸方向に位置させて設けた係止溝とで構成し、上記カム機構は、押釦の端面に突設した押圧カム部と、受話部の取付筒部に収装させたロータの端面に前記押圧カム部とで構成したものであり、上記ロック手段は、受話部の取付筒部内にヒンジシャフトを軸挿させつつコンプレッションスプリングにより一方向に摺動附勢されて摺動自在に収装させたロック部材と、このロック部材の出没を可能とするために送話部の取付筒部の端面より軸方向に設けられたロック溝とで構成し、上記フリクション機構は、受話部の取付筒部の端面に設けた第１凸部とこの端面の第１凸部と受話部の所定の開成角度範囲において圧接するように受話部の取付筒部の端面に設けた第２凸部とで構成したものであった。
【０００６】
【発明が解決しようとする課題】
上述した従来公知の電子機器用ヒンジは、送話部と受話部を手動で開閉させることができる上に、押釦を押すと、自動的に所定角度まで開いて、しかる後は全開位置まで手動でフリーストップに開閉できるという利点を持っていたが、部品点数が多く、構造が複雑である上に、自動開成角度が小さく、そのままでは手動でさらに開かないと送話部のキーボード部の操作キーを操作できなかったり、受話部のディスプレー装置のディスプレー画面を充分に視認することができなかったり、片手操作で全開状態にする際の操作性に問題があったり、さらに携帯電話機へ組み込む組立てに時間と手間を要するという問題があった。
【０００７】
また、上述した従来公知の携帯電話機は、ヒンジに設けた開閉用の押釦を押すと、ロック状態が解かれて送話部と受話部が自動的に若干開き、後は手動で開くものであり、自動開成位置においては送話部に設けたキーボード部の操作キーを操作したり、ディスプレー画面に表示された内容を視認することが困難であることから、さらに手動で開かなくてはならないという問題があった。
【０００８】
この発明の目的は、互いに開閉可能に連結する電子機器の第１の部材と第２の部材を手動で開閉させることができた上で、押釦を押すことにより、自動的に使用或は操作可能な角度まで、第１の部材と第２の部材を開くことのできる、電子機器用ヒンジを提供せんとするにある。
【０００９】
この発明の次の目的は、ヒンジを介して互いに開閉可能に連結した第１の部材と第２の部材から成る電子機器において、ヒンジを工夫することにより、第１の部材と第２の部材をヒンジに設けた押釦を押すことにより使用可能な角度、或は所定開成角度まで自動的に開かしめ、この自動開成角度からは手動で閉じることができる電子機器を提供せんとするにある。
【００１０】
【課題を解決するための手段】
上述した目的を達成するためにこの発明は、電子機器用ヒンジとして、第１の部材と第２の部材を互いに開閉可能に連結するヒンジであって、外周に回り止め手段を有し前記第１の部材か第２の部材のいずれか一方の取付筒部に挿入係止されるケース体と、このケース体の中心部軸方向を貫通して一端部側を該ケース体に係止して取り付けられたシャフトと、このシャフトの他端部側に該シャフトに回転を拘束されつつ軸方向へ摺動可能に取り付けられた一端部に係止部を有するスライドキーと、外周に回り止め手段を有し前記第１の部材か第２の部材のいずれか他方の取付筒部に挿入係止され前記スライドキーを内部軸方向へ摺動可能に収装しつつ前記シャフトに回転を拘束されて設けられたアウターカムと、その中心部軸方向へ前記シャフトと共に前記スライドキーの先端部を挿通させるアウターカム内に軸方向へ摺動可能に収装され前記スライドキーの係止部と回転角度によって係合解離を行う係合凸部を有するインナーカムと、このインナーカム及び前記アウターカムと対向しその中心部軸方向へ前記シャフトを貫通させつつ前記ケース体内に回転を拘束されつつ軸方向へ摺動可能に取り付けられたスライダーカムと、このスライダーカムと前記ケース体との間に弾設された第１コンプレッションスプリングと、前記スライドキーと前記アウターカムとの間に弾設された前記第１コンプレッションスプリングよりも弱い弾力を持つ第２コンプレッションスプリングと、前記スライドキーに取り付けられた押釦とを有し、通常時は前記スライダーカムのカム部の凸部を前記スライドキーによって回転を阻止されている前記インナーカムの係止凸部と係合させているが、前記押釦に対し押圧操作を行うことにより、前記スライドキーの係止部と前記インナーカムの係合凸部との係合状態を解離して前記スライダーカムを前記ケース体と共に回転させるように構成したことを特徴とする。
【００１１】
その際にこの発明は、前記インナーカムを、前記スライドキーの係止部とその回転を阻止するために係合する変形挿通孔と、前記スライドキーの係止部の回転を許容する円形挿通孔と、この円形挿通孔内の係止部の軸方向の移動をその回転角度によって阻止するために設けられた段部とで構成することができる。
【００１２】
そしてこの発明は、前記スライドキーを前記シャフトに対し回転を拘束された状態で軸方向への摺動を許容する手段を、該スライドキーを半径方向に貫通して軸方向に設けられた長孔と、この長孔と係合する前記シャフトに取り付けられたピンとし、同時に前記アウターカムを前記シャフトへ固定する手段を、前記ピンとすることができる。
【００１３】
この発明はまた、電子機器として、互いに開閉可能に連結される第１の部材と第２の部材の連結部に上記各構成の電子機器用ヒンジを用いたことを特徴とする。
【００１４】
【発明の実施の形態】
以下にこの発明を電子機器の一例である携帯電話機に実施した場合について説明するが、この発明はその他に例えばポケットコンピュータ、ノート型パソコン、その他の電子機器の例えば第１部材を構成するキーボード部と第２の部材を構成するディスプレイ装置とを相対的に開閉可能に連結するヒンジとして応用できる。
【００１５】
図面はこの発明の一実施の形態を示し、図１において、指示記号１で示されたものは、電子機器の一種である携帯電話機の送話部であり、第１の部材を構成する。その表面にはマイクロフォン部２ａやキーボード部２ｂが設けられている。指示記号３で示されたものは同じく電子機器の一種である携帯電話機の受話部であり、第２の部材を構成する。その表面にはイヤホーン部４ａや例えば液晶を用いたディスプレイ装置４ｂが設けられている。送話部１と受話部２の各端部には連結部を構成する取付筒部１ａ，１ｄと３ａが設けられ、これらの各取付筒部１ａと３ａは、この発明に係るプッシュオープンタイプの電子機器用ヒンジＡによって、互いに相対的に開閉可能に連結されている。尚、指示記号４ｃは、アンテナである。
【００１６】
次に、この発明に係るプッシュオープンタイプの電子機器用ヒンジＡの構造について説明する。図２乃至図２２は、この電子機器用ヒンジＡの構造及びその部品を示し、図面において、指示記号５で示されたものは例えば真鍮製のシャフトである。このシャフト５は一端部に鍔部５ａを有するものであり、外周に凸状部と凹状部から成る回り止め手段６ａを有するケース体６の側壁６ｂに設けた軸受孔６ｃに軸受係止されつつ該ケース体６の中心部軸方向を貫通している。ケース体６は受話部３の取付筒部３ａに設けた取付孔３ｂに挿入され、とくに図６に示したように、回り止め手段６ａを該取付孔３ｂに設けた凹状部と凸状部から成る係合部３ｃと係合させることにより、取付筒部３ａと共に回転するように構成されれている。シャフト５はこの取付筒部３ａに設けた隔壁３ｅにワッシャー１８とＥリング７によって係止されている。
【００１７】
シャフト５のケース体６の開放端より突出した自由端側には、とくに図３に示したように、その中心部軸方向に設けた挿通孔８ａへ該シャフト５の先端を受け入れつつ軸方向へ摺動可能にスライドキー８が該シャフト５に回転を拘束されつつ取り付けられている。このスライドキー８をシャフト５に回転を拘束された状態で取り付ける手段は、とくに図２と図３に示したように、スライドキー８の半径方向と軸方向に設けた長孔８ｂ，８ｂと、この長孔８ｂ，８ｂに係合してシャフト５に取り付けたピン９から成るものであり、このピン９と長孔８ｂ，８ｂによって、スライドキー８は軸方向へ限定された距離摺動可能である。このスライドキー８には、とくに図８乃至図１０に示したように、さらにその一端部外周に１８０°間隔で係止部８ｃ，８ｃが設けられ、他端部には鍔部８ｄが設けられている。
【００１８】
スライドキー８の係止部８ｃ，８ｃを設けた側を内部へ摺動可能かつ回転可能に受け入れて、外周に図１１乃至図１３に示したように、凸状部と凹状部から成る回り止め手段１０ａを設けたアウターカム１０が前記したスライドキー８を係止するピン９を連結孔１０ｃへ挿通させることによってシャフト５へ固定されつつ設けられている。このアウターカム１０は送話部１の取付筒部１ａに設けた取付孔１ｂに挿入され、その回り止め手段１０ａを取付孔１ｂの内側に設けた凹状部と凸状部から成る係合部１ｃと係合させることにより、送話部１の取付筒部１ａと共に回転するように構成されている。このアウターカム１０にはまた、各一対の凸部１１ａと凹部１１ｂから成るカム部１１が設けられている。尚、このアウターカム１０の構成は図１１乃至図１４に詳しく示されている。
【００１９】
次に、とくに図２乃至図３に示されたように、その変形挿通孔１０ｄ内へシャフト５と共にスライドキー８の係止部８ｃ，８ｃの部分を摺動可能に挿通させたアウターカム１０の円形挿通孔１０ｂ内にインナーカム１２が回転可能に収納されている。このインナーカム１２にはさらにアウターカム１０のカム部１１の方向に突出する一対の係止凸部１２ａ，１２ａが設けられている。即ち、インナーカム１２の断面略ひょうたん型を呈した変形挿通孔１２ｂの部分は、常時スライドキー８の係止部８ｃ，８ｃと係合してその回転を制止されているが、後述する押釦１３を介してスライドキー８を後述する第２コンプレッションスプリング１７の弾力に抗して押すと、スライドキー８の係止部８ｃ，８ｃとインナーカム１２の変形挿通孔１２ｂとの係合が外れ、係止部８ｃ，８ｃが変形挿通孔１２ｂに続いて設けられた円形挿通孔１２ｃの部分に移動し、インナーカム１２は自由にどちらの方向へも回転が可能となる。このインナーカム１２が円形挿通孔１２ｃ内で回転すると、スライドキー８の係止部８ｃ，８ｃが変形挿通孔１２ｂと円形挿通孔１２ｃの間に設けた段部１２ｄと係合し、そのままでは元位置、つまり変形挿通孔１２ｂと係合する位置には戻らない。尚、このインナーカム１２の構成は、図１５乃至図１８に詳しく示されている。
【００２０】
次に、同じくとくに図２乃至図３に示したように、このインナーカム１２及びアウターカム１０と対向させて、その中心部軸方向に設けた挿通孔１５ａへシャフト５を挿通させつつスライダーカム１５が設けられている。尚、このスライダーカム１５の構成は図１９乃至図２２に詳しく示されている。このスライダーカム１５は、インナーカム１２とアウターカム１０と対向する側に凸部１６ａと凹部１６ｂから成るカム部１６が設けられると共に、その外周に設けた凸状部と凹状部から成る回り止め手段１６ｃをケース体６の内周軸方向に設けた凹状部と凸状部から成る係合部６ｄに係合させることによって、軸方向へ摺動可能であるが、回転はケース体６に拘束されるように構成されている。
【００２１】
そして、スライダーカム１５とケース体６の側壁６ｂとの間には、図２乃至図３に示したように、シャフト５に還巻きさせて第１コンプレッションスプリング１４が弾設され、スライドキー８の鍔部８ｄとアウターカム１０との間には、スライドキー８に還巻きさせて第１コンプレッションスプリング１４よりも弾力の弱い第２コンプレッションスプリング１７が弾設されている。このことにより、スライダーカム１５は常にインナーカム１２とアウターカム１０の方向つまり図１において左方向に摺動附勢され、スライドキー８は常に図２において右方向へ摺動附勢されている。尚、指示記号１８はワッシャーである。
【００２２】
したがって、第１の部材である送話部１に対して第２の部材である受話部３を閉じた状態においては、図２３に示したように、スライダーカム１５が右方向へ移動しており、そのカム部１６の凸部１６ａがアウターカム１０のカム部１１の凸部１１ａとインナーカム１２の係止凸部１２ａとの間に該係止凸部１２ａによって係止されており、この状態においてインナーカム１２は右側から見て時計方向へ回動附勢されているが、スライドキー８の係止部８ｃ，８ｃとその変形挿通孔１２ｂが係合しているので、ロック状態を保っている。即ち、スライドキー８はピン９によってアウターカム１０と連結されており、アウターカム１０はその回り止め手段１０ａによって第１の部材である送話部１の取付筒部１ａと係合しているので、回転を阻止されており、この回転を阻止されているスライドキー８の係止部８ｃ，８ｃとインナーカム１２の変形挿通孔１２ｂが係合しているので、上述したようにスライダーカム１５に押されて時計方向へ回動附勢されているインナーカム１２は回転を阻止され、その係止凸部１２ａ，１２ａでカムスライダー１５のカム部１６の凸部１６ａ，１６ａを係止ロックしている。
【００２３】
この状態から押釦１３を第２コンプレッションスプリング１７の弾力に抗して図中右側へ押すと、共にスライドキー８が図中右方向へ摺動することによって、このスライドキー８の係止部８ｃ，８ｃがインナーカム１２の変形挿通孔１２ｂより離脱して円形挿通孔１２ｃの側へ移動するので、インナーカム１２が回転可能となり、スライダーカム１５の凸部１６ａに対する係止を解くので、該スライダーカム１５は第１コンプレッションスプリング１４の弾力によって図中左方向へ押圧されつつアウターカム１０のカム部１１の凸部１１ａの傾斜案内部１１ｃに案内されることによって回転トルクが発生し、図２の右側から見て時計方向へ回転しつつアウターカム１０のカム部１１の凹部１１ｂへ落ち込む。その際に、スライダーカム１５はケース体６に回転を拘束されており、ケース体６は第２の部材である受話部３の取付筒部３ａに回転を拘束されているので、受話部３はインナーカム１２と共に時計方向へ回転して自動的に開かれることになる。この自動角度は実施の形態のもので約１６０°である。図２と図３はこの状態のものを示している。この開成角度の範囲において、スライドキー８の係止部８ｃ，８ｃは、インナーカム１２の段部１２ｄに係止され、該インナーカム１２の回転を許容する。
【００２４】
開いた受話部３を閉じる際には、一方の手で送話部１を支え、もう一方の手で受話部３を反時計方向へ押して閉じると、ケース体６と共にスライダーカム１５が共に反時計方向へ回転し、その凸部１６ａでインナーカム１２の係止凸部１２ａを同じ方向に押して同じく反時計方向へ回転させつつ、アウターカム１０の傾斜案内部１１ｃを登りつつ第１コンプレッションスプリング１４の弾力に抗して図中右方向へ摺動する。受話部３の送話部１に対する閉成位置近くになると、スライドキー８の係止部８ｃ，８ｃの位置がインナーカム１２の変形挿通孔１２ｂの位置と合致することから該インナーカム１２が元位置に戻りロックされるが、スライダーカム１５の回転力によって、そのカム部１６の凸部１６ａがインナーカム１２の係止凸部１２ａを乗り越えて図２３に示したように該インナーカム１２の係止凸部１２ａとアウターカム１０のカム部１１の凸部１１ａとの間に嵌入することによって係止される。このようにして、第１の部材である送話部１と第２の部材である受話部３は閉じられ、閉成状態でロックされることになる。
【００２５】
尚、以上の実施の形態は、第１の部材である送話部に対し、第２の部材である受話部が１６０°まで自動的に開かれる場合について説明したが、この自動開成角度に限定はなく、これを例えば９０°まで自動的に開かしめて、後はフリーストップに手動で開閉できるように構成しても良い。また、全開角度の１６０°は、一例であってこの開成角度に限定されない。さらに、以上の実施の形態は、電子機器用ヒンジを１個用いただけであるが、送話部１の右側の取付筒部１ｄと受話部３の取付筒部３ａにもう１個別の構成のヒンジを用いることができ、そのようなヒンジは、所定の開成角度からフリクショントルクを発生させるヒンジ、その他のヒンジとすることができる。
【００２６】
次に、押釦１３を押圧操作することなく、受話部３を送話部１に対して開こうとする場合には、手指を用いて受話部３を送話部１に対して開く方向へ押したり、引いたりすると、スライダーカム１５のカム部１６の凸部１６ａがその回転を阻止されているインナーカム１２の係止凸部１２ａ，１２ａを第１コンプレッションスプリング１４の押圧力に抗して図中右側へ摺動して乗り越えることによって、受話部３の送話部１に対する開成動作が許容され、後は上述したように自動的に１６０°まで自動的に開かれることになる。このような状態で、受話部３と送話部１を閉じると、インナーカム１２はスライドキー８によってロックされたままであるのでスライダーカム１５の回転によってインナーカム１２は共に回転はしないが、スライダーカム１５のカム部１６の凸部１６ａがロック状態のインナーカム１２の係止凸部１２ａ，１２ａを乗り入れることにより、該係止凸部１２ａ，１２ａとアウターカム１０のカム部１１の凸部１１ａ，１１ａ間に係止ロックされる。
【００２７】
【発明の効果】
この発明は以上のように構成したので、次のような効果を奏し得る。
【００２８】
請求項１のように構成すると、カムスライダーがケース体の中に収納され、ケース体を送話部に対する第１の部材の連結部である取付筒部の取付孔へ係止させたことにより、開閉操作時の応力緩和を図ることができたものであり、第１コンプレッションスプリングをケース体内に収納できたので、該第１コンプレッションスプリングにメッキ等の錆止めを行うことを省略したり、ゴミ等が付着して故障が生ずるのを有効に阻止することができるという効果を奏し得る。
【００２９】
さらに、スライドキーがシャフトに密着しているので、摺動時に傾きがなくなることから、押釦の操作がスムーズとなり、かつ、傾きによる耐久性が劣化するのを防止できる効果を有するものである。
【００３０】
請求項２のように構成すると、インナーカムの係止凸部によるスライダーカムのカム部の凸部のロック及び解除を効率良く行うことができ、かつ、ロック解除後の元位置への復帰動作をスムーズに行うことができるという効果を奏し得る。
【００３１】
請求項３のように構成すると、シャフトに取り付けた１本のピンによって、スライドキーをシャフトに回転を拘束させた状態で摺動させ、かつ、アウターカムをシャフトに連結固定でき、構造を簡単にすることができるという効果を奏し得る。
【００３２】
請求項４のように構成すると、押釦の片手による押圧操作によって、ワンタッチで第１の部材に対し第２の部材を必要な開成角度まで開くことができ、手動で閉じた際に閉成状態で互いをロックすることができる上に、手動によっても第２の部材を第１の部材に対して開くことができるという効果を奏し得る。
【図面の簡単な説明】
【図１】この発明に係る電子機器用ヒンジを用いた携帯電話機の送話部と受話部を開いて見た平面図である。
【図２】図１に対応したこの発明に係る電子機器用ヒンジの使用状態を説明する一部断面平面図である。
【図３】図２に対応し、この発明に係る電子機器用ヒンジの使用状態を説明する平面断面図である。
【図４】図１に示した電子機器用ヒンジの右側断面図である。
【図５】図１に示した電子機器用ヒンジの押釦を取り外して見た左側面図である。
【図６】図１のＡ−Ａ線断面図である。
【図７】図１のＢ−Ｂ線断面図である。
【図８】スライドキーの平面図である。
【図９】スライドキーの右側面図である。
【図１０】スライドキーの正面図である。
【図１１】アウターカムの平面図である。
【図１２】アウターカムの右側面図である。
【図１３】アウターカムの正面図である。
【図１４】アウターカムのカム部の展開図である。
【図１５】インナーカムの平面図である。
【図１６】インナーカムの右側面図である。
【図１７】インナーカムの正面図である。
【図１８】インナーカムのカム部の展開図である。
【図１９】スライダーカムの平面図である。
【図２０】スライダーカムの左側面図である。
【図２１】スライダーカムの正面図である。
【図２２】スライダーカムのカム部の展開図である。
【図２３】この発明に係る電子機器用ヒンジの動作を説明する説明図である。
【符号の説明】
Ａ  電子機器用ヒンジ
１  第１の部材−送話部
１ａ  取付筒部
１ｄ  取付筒部
３  第２の部材−受話部
３ａ  取付筒部
５  シャフト
６ａ  回り止め手段
８  スライドキー
８ｃ  係止部
１０  アウターカム
１０ａ  回り止め手段
１０ｂ  円形挿通孔
１０ｄ  変形挿通孔
１１  カム部
１１ａ  凸部
１２  インナーカム
１２ａ  係止凸部
１２ｂ  変形挿通孔
１２ｃ  円形挿通孔
１４  第１コンプレッションスプリング
１５  スライダーカム
１６ａ  凸部
１７  第２コンプレッションスプリング
【図１】
2004150498.tif 000003
【図２】
2004150498.tif 000004
【図３】
2004150498.tif 000005
【図４】
2004150498.tif 000006
【図５】
2004150498.tif 000007
【図６】
2004150498.tif 000008
【図７】
2004150498.tif 000009
【図８】
2004150498.tif 000010
【図９】
2004150498.tif 000011
【図１０】
2004150498.tif 000012
【図１１】
2004150498.tif 000013
【図１２】
2004150498.tif 000014
【図１３】
2004150498.tif 000015
【図１４】
2004150498.tif 000016
【図１５】
2004150498.tif 000017
【図１６】
2004150498.tif 000018
【図１７】
2004150498.tif 000019
【図１８】
2004150498.tif 000020
【図１９】
2004150498.tif 000021
【図２０】
2004150498.tif 000022
【図２１】
2004150498.tif 000023
【図２２】
2004150498.tif 000024
【図２３】
2004150498.tif 000025